(57)【要約】      （修正有）【課題】最小限の水を補給するだけで運用でき、果実および野菜の収穫や、植物の入れ替えが容易で、安全に設置することができるボックスガーデンを提供する。【解決手段】水が通流する２つ以上の下部タンク２０と、上方が開いて、側面に窓１１を有し、底面に水抜き孔１２を有し、かつ、下部タンク２０の上に重ねて積み上げられる２つ以上のプランター１０と、プランター１０の上に配置される散水手段３０と、下部タンク２０から水が流れ込み、散水手段３０に水を送り出す揚水ポンプ２２とからなる。【選択図】図１
0003144556.tif 000002
【実用新案登録請求の範囲】
【請求項１】
水が通流する２つ以上の下部タンクと、上方が開いて、側面に窓を有し、底面に水抜き孔を有し、かつ、前記下部タンクの上に重ねて積み上げられる２つ以上のプランターと、該プランターの上に配置される散水手段と、前記下部タンクから水が流れ込み、前記散水手段に水を送り出す揚水ポンプとからなるボックスガーデン。
【請求項２】
側面に窓を有し、かつ、相互に通流可能な配管を備える２つ以上のプランターと、該プランターの１つから水が流れ込み、かつ、前記プランターの１つに水を送り出す揚水ポンプとからなるボックスガーデン。
【請求項３】
前記プランターが、側方のそれぞれに連結自在となる凸部および凹部を備える請求項１または２に記載のボックスガーデン。
【請求項４】
前記プランターには、前記窓から出し入れ可能な大きさであり、人工土壌からなる植え床を備える請求項１から３のいずれかに記載のボックスガーデン。
【請求項５】
直立して設置される鋼材を有し、積み上げられた前記プランターが、該鋼材に固定されている請求項１から４のいずれかに記載のボックスガーデン。
【請求項６】
最も下に位置する前記プランターには、窓に板状のはね出し部材を備える請求項１から５のいずれかに記載のボックスガーデン。
【考案の詳細な説明】
【技術分野】
【０００１】
本考案は、壁面緑化設備、立体的なガーデニング、または立体菜園に好適なボックスガーデンに関する。
【背景技術】
【０００２】
冷暖房費用の節減や、地球温暖化の防止を目的として、マンションなどに壁面緑化設備が設けられことがある。一方、家庭の庭の隅や、マンションのベランダなどでも可能となるように、容易に設置することができる立体的なガーデニング、または立体菜園などが求められてきている。これらを可能とするように、例えば、実開平６−７４６４４号公報に、積み上げやすいように工夫されたポットブロックが記載されている。記載されているポットブロックは、斜面を利用し、灌水が容易で、積み上げやすいという特徴がある。
【０００３】
しかし、水が必要以上に消費されたり、果実および野菜の収穫が困難であったり、植物が入れ替えが困難であったり、全体が転倒しやすいという危険性があるなどの問題があった。
【特許文献１】実開平６−７４６４４号公報
【考案の開示】
【考案が解決しようとする課題】
【０００４】
本考案は、最小限の水を補給するだけで運用でき、果実および野菜の収穫や、植物の入れ替えが容易で、安全に設置することができるボックスガーデンを提供することを目的とする。
【課題を解決するための手段】
【０００５】
本考案のボックスガーデンは、水が通流する２つ以上の下部タンクと、上方が開いて、側面に窓を有し、底面に水抜き孔を有し、かつ、前記下部タンクの上に重ねて積み上げられる２つ以上のプランターと、該プランターの上に配置される散水手段と、前記下部タンクから水が流れ込み、前記散水手段に水を送り出す揚水ポンプとからなる。
【０００６】
あるいは、側面に窓を有し、かつ、相互に通流可能な配管を備える２つ以上のプランターと、該プランターの１つから水が流れ込み、かつ、前記プランターの１つに水を送り出す揚水ポンプとからなる。
【０００７】
さらに、前記プランターが、側方のそれぞれに連結自在となる凸部および凹部を備えることが好ましい。
【０００８】
さらに、前記プランターに、前記窓から出し入れ可能な大きさであり、人工土壌からなる植え床を備えることが好ましい。
【０００９】
さらに、直立して設置される鋼材を有し、積み上げられた前記プランターが、該鋼材に固定されていることが好ましい。
【００１０】
さらに、最も下に位置する前記プランターには、窓に板状のはね出し部材を備えることが好ましい。
【考案の効果】
【００１１】
本考案のボックスガーデンでは、狭い場所で、最小限の水を補給するだけで運用でき、果実および野菜の収穫や、植物の入れ替えが容易で、安全に設置することができる。
【００１２】
そのため、土地を有効に利用できて、消費地に近い地域で農業を行えることにより、生鮮食料品の輸送コストを低減でき、ひいては、日本の食糧自給率が高まるという効果も得られる。
【００１３】
また、各家庭においては、立体的なガーデニングまたは立体菜園として、果実および野菜を消費者が自ら生産するというキッチンガーデンにも利用することができて、食卓の安全性を高めることができるという効果も得られる。あるいは、庭やマンションなどのベランダで花などを育てることにより、現代社会において荒廃しやすい「こころ」を癒してくれる観賞用として利用することが期待される。
【００１４】
本考案は、前述のような壁面緑化設備としても最適である。壁面は、１つの屋根に対して、４つを有するように、本考案のボックスガーデンを使用した壁面緑化設備では、建築物の冷却効果および保温効果が高くなる。さらに、焼却灰を含む合成樹脂製のプランターを採用することにより、紫外線に対する耐久性を高めることができると共に、日光に対する熱遮蔽効果が高い壁面緑化設備が得られる。
【考案を実施するための最良の形態】
【００１５】
本考案について、図面を参照して、説明する。図１に、本考案のボックスガーデンの一実施例を斜視図で示す。
【００１６】
本考案のボックスガーデンは、水が通流する２つ以上の下部タンク（２０）と、上方が開いて、側面に窓（１１）を有し、底面に水抜き孔（１２）を有し、かつ、下部タンク（２０）の上に重ねて積み上げられる２つ以上のプランター（１０）と、プランター（１０）の上に配置される散水手段（３０）と、下部タンク（２０）から水が流れ込み、散水手段（３０）に水を送り出す揚水ポンプ（２２）とからなる。
【００１７】
さらに、直立して設置される鋼材（１４）を有し、積み上げられたプランター（１０）が、鋼材（１４）に固定される。固定方法は、双方に孔を開けておき、ボルトとナットで固定したり、公知の技術のいずれかにより行う。
【００１８】
散水手段（３０）は、図示したように、配管（２１）の一部を、孔が開いた配管とすればよい。
【００１９】
プランター（１０）は、合成樹脂製が好ましいが、公知のプランターと同じように、陶製や、その他の材質でもよい。また、窓（１１）は、略Ｖ字状としたが、プランター（１０）に入れる植え床（１３）などが出し入れ自在な大きさであれば、どのような形状でもよい。また、植え床（１３）は、人工土壌からなり、袋に収めておくと扱いやすくなる。さらに、プランター（１０）には、側方に連結自在となる凸部および凹部を備える。このような構造とすることにより、直立して設置される鋼材（１４）に固定されるプランター（１０）が、より強固に固定される。図示した例では、上下の間でずれるように積み重ねた例を示したが、縦に整列して積み重ねてもよい。
【００２０】
プランター（１０）が隣接する間は、図２に示したように、それぞれに、凸部（１６）および凹部（１７）を備えて、連結自在とする。凸部（１６）および凹部（１７）の構造は、周知技術のいずれを用いてもよい。
【００２１】
さらに、最も下に位置するプランター（１０）には、窓に板状のはね出し部材（１５）を備え、植物をつたって外から滴り落ちる水を受け、補給が必要な水を最小限にするとよい。
【００２２】
また、揚水ポンプ（２２）に、フィルターを備えることにより、ゴミなどを除去するとよい。
【００２３】
図２に、本考案のボックスガーデンの異なる実施例を斜視図で示す。
【００２４】
本考案のボックスガーデンは、側面に窓（１１）を有し、かつ、相互に通流可能な配管を備える２つ以上のプランター（１８）と、プランター（１８）の１つから水が流れ込み、かつ、プランター（１８）の１つに水を送り出す揚水ポンプ（２２）とからなる。このように構成することにより、高低差のある場所や、積み上げが困難な場所などにおいても、自由なレイアウトのボックスガーデンが得られる。
【００２５】
図１および図２に示した実施例は、水の補給が最小限ですみ、かつ、プランターに開けられる窓から、植え床や植物を、容易に入れ替えることができる点で共通している。
【図面の簡単な説明】
【００２６】
【図１】本考案のボックスガーデンの一実施例を示す斜視図である。
【図２】本考案のボックスガーデンの異なる実施例を示す斜視図である。
【符号の説明】
【００２７】
１０、１８  プランター
１１  窓
１２  水抜き孔
１３  植え床
１４  鋼材
１５  はね出し部材
１６  凸部
１７  凹部
２０  下部タンク
２１  配管
２２  揚水ポンプ
３０  散水手段
【図１】
0003144556.tif 000003
【図２】
0003144556.tif 000004